(57)【特許請求の範囲】
【請求項１】
便器上に載置固定された本体部に突設され、その軸方向の移動により前記本体部に着脱可能なヒンジ軸に便座、便蓋の少なくとも一方が前記便座または前記便蓋に設けられた係止部によって回動可能かつ着脱可能に取り付けられたトイレ装置であって、
前記本体部に前記ヒンジ軸が取り付けられた状態において前記便座、前記便蓋の少なくとも一方が前記便座または前記便蓋に設けられた係止部を介して前記ヒンジ軸に着脱可能であり、
前記ヒンジ軸の離脱方向への移動を当該ヒンジ軸との当接により阻止する規制手段を前記ヒンジ軸の着脱部分より前記ヒンジ軸の離脱方向側で、かつ前記ヒンジ軸の着脱部分から前記ヒンジ軸の軸方向の長さより短い所定の距離隔てた位置に配置するよう前記本体部に設け、前記本体部と前記規制手段との間に前記ヒンジ軸に取り付けられる前記便座の係止部を嵌入可能に配置したことを特徴とするトイレ装置。
【請求項２】
前記規制手段として、前記本体部に着脱可能であって前記便座、前記便蓋の少なくとも一方の側面の一部を覆うヒンジカバーを設けたことを特徴とする請求項１記載のトイレ装置。
【請求項３】
前記ヒンジカバーの側面が前記本体部の側面と略同一面を形成することを特徴とする請求項２記載のトイレ装置。
【発明の詳細な説明】
【技術分野】
【０００１】
本発明は、局部洗浄機能を備えたトイレ装置に関する。
【背景技術】
【０００２】
人体局部を洗浄する機能を備えたトイレ装置は、従来、様々な構造、デザインのものが提案されているが、本発明に関連するものとして、例えば、特許文献１記載のトイレ装置がある。このトイレ装置は、便器上に載置固定された本体部（機能部収納ケース）の左右側面に、便座および便蓋を軸支するヒンジ軸が着脱可能に設けられ、これらのヒンジ軸が本体部に取り付けられた状態で便座及び便蓋が着脱できる構造である。また、このトイレ装置の場合、便座および便蓋が本体部に装着されている状態であれば、便座若しくは便蓋のいずれか一方によりヒンジ軸の抜け落ちが防止されている。
【０００３】
【特許文献１】特開２００５−５２５号公報
【発明の開示】
【発明が解決しようとする課題】
【０００４】
特許文献１記載のトイレ装置において便座や便蓋を本体部から取り外す場合、まず便座および便蓋の取り外しロック機構を解除し、便座および便蓋を指定された角度まで開いた後、指定された方向へ便座および便蓋を移動させる、という操作が行われる。ところが、便座や便蓋を取り外すときにヒンジ軸に思わぬ力が加わり、便座や便蓋が離脱すると同時にヒンジ軸も本体部から抜け、便器内部に落下して便鉢を傷つけたり、ヒンジが回収困難となったりすることがある。
【０００５】
一方、便座や便蓋を本体部から取り外すときにヒンジ軸が本体部から外れなかった場合でも、ヒンジ軸から便座および便蓋が外れている状態においては、何らかの予期せぬ原因によりヒンジ軸が本体部から離脱するおそれがあるため、前述と同様、ヒンジ軸が便鉢内部に落下して便鉢を傷つけたり、ヒンジが回収困難となったりすることが懸念される。
【０００６】
本発明が解決しようとする課題は、便座や便蓋の着脱操作時に誤って本体部からヒンジ軸が外れることのないトイレ装置を提供することにある。
【課題を解決するための手段】
【０００７】
本発明のトイレ装置は、便器上に載置固定された本体部に突設され、その軸方向の移動により前記本体部に着脱可能なヒンジ軸に便座、便蓋の少なくとも一方が前記便座または前記便蓋に設けられた係止部によって回動可能かつ着脱可能に取り付けられたトイレ装置であって、
前記本体部に前記ヒンジ軸が取り付けられた状態において前記便座、前記便蓋の少なくとも一方が前記便座または前記便蓋に設けられた係止部を介して前記ヒンジ軸に着脱可能であり、
前記ヒンジ軸の離脱方向への移動を当該ヒンジ軸との当接により阻止する規制手段を前記ヒンジ軸の着脱部分より前記ヒンジ軸の離脱方向側で、かつ前記ヒンジ軸の着脱部分から前記ヒンジ軸の軸方向の長さより短い所定の距離隔てた位置に配置するよう前記本体部に設け、前記本体部と前記規制手段との間に前記ヒンジ軸に取り付けられる前記便座の係止部を嵌入可能に配置したことを特徴とする。
【０００８】
このような構成とすれば、軸方向に移動させることによって本体部に着脱可能なヒンジ軸が何らかの外力を受けて離脱方向へ移動すると規制手段に当接してその移動が阻止されるため、本体部からヒンジ軸が外れることがない。従って、便座や便蓋の着脱操作時に誤って本体部からヒンジ軸が外れることがない。
【０００９】
この場合、前記規制手段として、前記本体部に着脱可能であって前記便座、前記便蓋の少なくとも一方の側面の一部を覆うヒンジカバーを設ければ、便座や便蓋の着脱操作の際にヒンジ軸が移動する方向に、規制手段であるヒンジカバーが位置するため、ヒンジ軸の離脱を確実に阻止することができる。
【００１０】
一方、少なくとも前記ヒンジカバーの側面が前記本体部の側面と略同一面を形成するようにすれば、本体部の側面に凹凸が生じないため、この側面部分の拭き掃除などがし易くなり、清掃性が向上する。
【発明の効果】
【００１１】
本発明により、便座や便蓋の着脱操作時に誤ってヒンジ軸が外れることのないトイレ装置を提供することができる。
【発明を実施するための最良の形態】
【００１２】
以下、図面に基づいて本発明の実施の形態について説明する。図１は本発明の実施の形態であるトイレ装置を示す斜視図、図２は図１に示すトイレ装置の一部拡大図、図３は図１に示すトイレ装置を構成する本体部の斜視図、図４は図１に示すトイレ装置を構成する本体部の斜視図、図５は図３に示す本体部の平面図、図６は図３に示す本体部の正面図、図７は図３に示す本体部の左側面図、図８は図３に示す本体部の右側面図である。
【００１３】
図１，図２に示すように、本実施形態のトイレ装置１０は、洋式便器１１上に載置固定された局部洗浄機能などを有する本体部１２と、この本体部１２に回動可能に軸支された便座１６および便蓋１７と、を備えている。また、図３〜図８に示すように、本体部１２の正面寄りの部分に設けられた軸受ハウジング１３の左右側面にそれぞれヒンジ軸１４，１５が水平方向に突設され、これらのヒンジ軸１４，１５を介して便座１６が回動可能に軸支されている。ヒンジ軸１４は、本体部１２と一体的に成形された合成樹脂製の軸体であるが、ヒンジ軸１５は軸方向に移動させることにより本体部１２に着脱可能である。即ち、ヒンジ軸１５は、軸方向に沿って突出するように移動させると、本体部１２の軸受ハウジング１３から離脱し、逆方向に移動させると軸受ハウジング１３に係止される。
【００１４】
便座１６は、その基端部の左右に設けられた一対の係止部１６ａ，１６ｂを介してヒンジ軸１４，１５に着脱可能に取り付けられている。便蓋１７は、その基端部の左右に設けられた一対の係止部１７ａ，１７ｂを介して、本体部１２の背面寄りの部分に突設された固定軸１８，１９に回動可能かつ着脱可能に取り付けられている。また、便座１６は、本体部１２にヒンジ軸１５が取り付けられた状態においてヒンジ軸１４，１５に着脱可能である。さらに、ヒンジ軸１５が離脱方向へ移動するのを当該ヒンジ軸１５との当接により阻止する規制手段として、ヒンジカバー２１を設けている。また、ヒンジ軸１４の外側にもヒンジカバー２０を設けている。図３，図４に示すように、ヒンジカバー２０，２１は互いに鏡面対称な形状であり、本体部１２の側面と略同一面をなす平板状の壁部２０ａ，２１ａと、壁部２０ａ，２１ａの片面に形成された滑らかな「く」字状の固定部２０ｂ，２１ｂと、を備えている。
【００１５】
ヒンジカバー２０，２１は、それぞれヒンジ軸１４，１５の軸心の延長上に配置され、便座１６の基端部の左右にある係止部１６ａ，１６ｂをそれぞれ覆うように設けられている。図５，図６に示すように、ヒンジカバー２０，２１はそれぞれ化粧キャップ２２，２３で閉塞されたネジ孔に螺着されたネジ（図示せず）により、本体部１２に着脱可能に取り付けられている。また、ヒンジカバー２０，２１の外側面はそれぞれ本体部１２の左右側面と略同一面を形成するように配置されている。
【００１６】
図３に示すように、便座１６および便蓋１７が本体部１２から取り外された状態においてヒンジ軸１５は軸方向に移動可能であるが、ヒンジ軸１５を離脱方向へ移動させたとき、ヒンジ軸１５が軸受ハウジング１３から離脱可能な位置に達する前にその先端部がヒンジカバー２０，２１に当接し、それから先へ移動不能となるため、ヒンジ軸１５の離脱が阻止される。なお、ヒンジカバー２０，２１を本体部１２から取り外せば、ヒンジ軸１５は軸方向に自由に移動可能となるため、本体部１２への着脱も容易である。
【００１７】
トイレ装置１０においては、軸方向に移動させることによって本体部１２に着脱可能なヒンジ軸１５が何らかの外力を受けて離脱方向へ移動することがあっても、規制手段であるヒンジカバー２１にヒンジ軸１５が当接してその移動が阻止されるため、本体部１２からヒンジ軸１５が外れることがない。従って、便座１６の着脱操作時に誤って本体部１２からヒンジ軸１５が外れることがない。
【００１８】
また、ヒンジカバー２０，２１は、それぞれヒンジ軸１４，１５の軸心の延長上に配置され、便座１６の基端部の左右にある係止部１６ａ，１６ｂをそれぞれ覆うように設けられている。このため、便座１６の着脱操作の際にヒンジ軸１５が移動する方向に、規制手段であるヒンジカバー２１が位置することとなり、ヒンジ軸１５の離脱を確実に阻止することができる。
【００１９】
さらに、ヒンジカバー２０，２１の外側面はそれぞれ本体部１２の左右側面と略同一面を形成するように配置されているため、便蓋１７を開いた状態において、本体部１２の側面に凹凸が生じるのを回避することができる。また、便蓋１７を閉じた状態においては、本体の一部であるヒンジカバー２０，２１は便蓋１７の側面で覆われているため、本体部１２の側面は開いた状態と同様、凹凸のない連続した面を呈する。したがって、便蓋１７が開いた状態であっても、閉じた状態であっても、ヒンジカバー２０，２１の外側面を含む側面部分の拭き掃除などがし易くなり、清掃性が向上する。
【００２０】
一方、図２，図６に示すように、ヒンジ軸１５の抜け落ちを防止するヒンジカバー２１は取り付けられた側の軸受ハウジング１３の側方端面に設けられたヒンジ軸１５を挿入する軸受部１３ｂから、ヒンジ軸１５の軸方向の長さより短い所定の距離を隔て配設されており、軸受ハウジング１３の側方端面に対向した状態にある。また、軸受ハウジング１３の左右端面からヒンジカバー２０，２１までの距離は、便座１６の係止部１６ａ，１６ｂが２ｍｍ〜５ｍｍ程度のクリアランスをもって嵌入可能なサイズとなっている。従って、離脱させた便座１６を本体部１２に取り付ける工程において、便座１６の係止部１６ａ，１６ｂをそれぞれヒンジ軸１４，１５に係合させるとき、ヒンジカバー２０，２１がガイド部材として機能するため、ヒンジカバー２０，２１に沿って係止部１６ａ，１６ｂを押し込めば容易に所定位置に取り付けることができる。
【００２１】
本実施形態では、便座１６が回動可能かつ着脱可能に取り付けられるヒンジ軸１４，１５に対してヒンジカバー２０，２１を設けた場合について説明しているが、本発明はこれに限定するものではないので、ヒンジ軸に便座、便蓋の少なくとも一方が回動可能かつ着脱可能に取り付けられたトイレ装置において広く使用することができる。また、ヒンジ軸１４，１５がともに着脱自在である場合においても、本発明は適応することができる。
【産業上の利用可能性】
【００２２】
本発明のトイレ装置は、一般住宅のトイレや公共設備のトイレなどにおいて広く利用することができる。
【図面の簡単な説明】
【００２３】
【図１】本発明の実施の形態であるトイレ装置を示す斜視図である。
【図２】図１に示すトイレ装置の一部拡大図である。
【図３】図１に示すトイレ装置を構成する本体部の斜視図である。
【図４】図１に示すトイレ装置を構成する本体部の斜視図である。
【図５】図３に示す本体部の平面図である。
【図６】図３に示す本体部の正面図である。
【図７】図３に示す本体部の左側面図である。
【図８】図３に示す本体部の右側面図である。
【符号の説明】
【００２４】
１０  トイレ装置
１１  洋式便器
１２  本体部
１３  軸受ハウジング
１４，１５  ヒンジ軸
１６  便座
１６ａ，１６ｂ，１７ａ，１７ｂ  係止部
１７  便蓋
１８，１９  固定軸
２０，２１  ヒンジカバー
２０ａ，２１ａ  壁部
２０ｂ，２１ｂ  固定部
【図１】
0004658862.tif 000002
【図２】
0004658862.tif 000003
【図３】
0004658862.tif 000004
【図４】
0004658862.tif 000005
【図５】
0004658862.tif 000006
【図６】
0004658862.tif 000007
【図７】
0004658862.tif 000008
【図８】
0004658862.tif 000009